(57)【要約】【課題】  矩形状のモバイル端末を、縦長に持つことが多い使用者に対し、モバイル端末が縦長の状態においても動画の広告を見やすくして、使用者に訴求力の高い動画の広告を送信することができる広告表示システムを提供することを目的とする。【解決手段】  コンピュータネットワーク４に接続されて無線通信が可能であり矩形状のモバイル端末２・３に、動画ファイルを送信する広告配信情報端末１を備え、広告配信情報端末１は、使用者がモバイル端末２・３の表示画面に表示されている一の広告を選択したことのアクション情報及びその選択したときのモバイル端末２・３の表示画面についての縦方向又は横方向のいずれかのポジション情報を取得し、ポジション情報から縦方向と判断したときに、一の広告と関連し、モバイル端末２・３の表示画面全体に表示する動画ファイルをモバイル端末２・３に送信する広告表示システムにより解決することができた。【選択図】図３
2015210472.tif 000002
【特許請求の範囲】
【請求項１】
コンピュータネットワークに接続されて無線通信が可能であり矩形状のモバイル端末に、動画ファイルを送信する広告配信情報端末を備え、
前記広告配信情報端末は、使用者が前記モバイル端末の表示画面に表示されている一の広告を選択したことのアクション情報及びその選択したときの前記モバイル端末の表示画面についての縦方向又は横方向のいずれかのポジション情報を取得し、
前記ポジション情報を基に前記モバイル端末の表示画面が縦方向又は横方向のどちらであるかを判断する判断手段と、
前記ポジション情報から縦方向であると判断したときに、前記一の広告と関連し、縦長の動画である動画ファイルを選択する選択手段と、
前記動画ファイルを前記モバイル端末に送信する送信手段を備えたことを特徴とする広告表示システム。
【請求項２】
前記広告配信情報端末は、使用者が前記モバイル端末の表示画面に表示されている一の広告を選択したときの時間、前記モバイル端末の位置、前記モバイル端末が位置する地域の天候、前記モバイル端末が位置する地域の気温から選ばれる１又は２以上の属性情報を前記モバイル端末、前記広告配信情報端末又は前記属性情報を有する他の情報端末のうち少なくとも一から取得し、
前記一の広告と関連し、さらに前記属性情報に応じた動画ファイルを選択する選択手段と、
前記動画ファイルを前記モバイル端末に送信する送信手段備えたことを特徴とする請求項１に記載の広告表示システム。
【請求項３】
前記モバイル端末の位置が、前記モバイル端末に内蔵されているグローバルポジショニングシステムにより取得された位置、又は前記モバイル端末が無線通信する中継局の場所に基づく位置であることを特徴とする請求項２に記載の広告表示システム。
【請求項４】
前記動画ファイルの動画中に、前記動画ファイルの内容と関連するキーワード又はロゴタイプを備えることを特徴とする請求項１から請求項３のいずれかに記載の広告表示システム。
【請求項５】
コンピュータネットワークに接続されて無線通信が可能であり矩形状のモバイル端末に、動画ファイルを送信する広告配信情報端末であって、
前記広告配信情報端末は、使用者が前記モバイル端末の表示画面に表示されている一の広告を選択したことのアクション情報及びその選択したときの前記モバイル端末の表示画面についての縦方向又は横方向のいずれかのポジション情報を取得し、
前記ポジション情報を基に前記モバイル端末の表示画面が縦方向又は横方向のどちらであるかを判断する判断手段と、
前記ポジション情報から縦方向であると判断したときに、前記一の広告と関連し、縦長の動画である動画ファイルを選択する選択手段と、
前記動画ファイルを前記モバイル端末に送信する送信手段を備えたことを特徴とする広告配信情報端末。
【請求項６】
前記広告配信情報端末は、使用者が前記モバイル端末の表示画面に表示されている一の広告を選択したときの時間、前記モバイル端末の位置、前記モバイル端末が位置する地域の天候、前記モバイル端末が位置する地域の気温から選ばれる１又は２以上の属性情報を前記モバイル端末、前記広告配信情報端末又は前記属性情報を有する他の情報端末のうち少なくとも一から取得し、前記一の広告と関連し、
さらに前記属性情報に応じた動画ファイルを選択する選択手段と、
前記動画ファイルを前記モバイル端末に送信する送信手段備えたことを特徴とする請求項５に記載の広告配信情報端末。
【発明の詳細な説明】
【技術分野】
【０００１】
本発明は、サーバーからモバイル端末への視覚的効果の高い動画に関する広告を表示するシステム及び広告配信情報端末に関する。
【背景技術】
【０００２】
近年、スマートフォン、タブレットなどと称される無線による情報通信が可能であるモバイル端末の市場が拡大を続けるなかで、そのモバイル端末を介した広告事業も急成長しいている。通信速度も向上し、可搬性に優れたモバイル端末の長所を活かし、時間、場所に制限されずに、テレビＣＭのような動画を広告として使用するものも多数見受けられるようになってきている。
【０００３】
従来技術では、モバイル端末における動画による広告は、映画やテレビなどで行われてきた影響を色濃く受けており、横に長い、すなわち水平方向に長い大きさで表示されるものである。
【０００４】
例えば、特許文献１において、モバイル端末１１０を傾けるなどの動きによって、モバイル端末１１０が横長の位置になったときに、横長の動画広告である第３広告情報２１０が画面に表示されるシステムに係る発明について開示されている。
【先行技術文献】
【特許文献】
【０００５】
【特許文献１】特開２０１３−１３４４９４号公報
【発明の概要】
【発明が解決しようとする課題】
【０００６】
しかしながら、上述した特許文献１に記載の発明では、一般的に縦長の方向で保持、使用されることが多い矩形状のモバイル端末において、動画の広告を表示させるために使用者に対してモバイル端末を横長に持ち直させる動作を強要することとなり、積極的に動画広告を観る意識がない使用者に対しては、必ずしも有用な表示方法とはいえなかった。
【０００７】
また、一般に、モバイル端末を縦長の位置の状態で保持したときに、横長である動画の広告の左右幅を、モバイル端末の横幅、すなわち短手方向の表示画面の幅に合わせて表示されることにより、動画の広告が縮小されて表示されることとなるため、デスクトップ型の情報処理端末のモニタに比べて表示画面が小さいモバイル端末では、使用者にとって動画の内容を見づらく広告の効果が十分ではなかった。
【０００８】
そこで、本発明では、一般に、矩形状のモバイル端末を、縦長、すなわち長手方向に持つことが多い使用者に対し、モバイル端末が縦長の状態においても動画の広告を見やすくして、使用者に訴求力の高い動画の広告を送信することができる広告表示システムを提供することを目的とする。
【０００９】
また、別に、モバイル端末などから得られる各種の属性情報をもとに、使用者にとっても有用である動画の広告を送信することができる広告表示システムを提供することも目的とする。
【課題を解決するための手段】
【００１０】
〔１〕すなわち、本発明は、コンピュータネットワークに接続されて無線通信が可能であり矩形状のモバイル端末に、動画ファイルを送信する広告配信情報端末を備え、
前記広告配信情報端末は、使用者が前記モバイル端末の表示画面に表示されている一の広告を選択したことのアクション情報及びその選択したときの前記モバイル端末の表示画面についての縦方向又は横方向のいずれかのポジション情報を取得し、前記ポジション情報を基に前記モバイル端末の表示画面が縦方向又は横方向のどちらであるかを判断する判断手段と、前記ポジション情報から縦方向であると判断したときに、前記一の広告と関連し、縦長の動画である動画ファイルを選択する選択手段と、前記動画ファイルを前記モバイル端末に送信する送信手段を備えたことを特徴とする広告表示システムである。
【００１１】
〔２〕そして、前記広告配信情報端末は、使用者が前記モバイル端末の表示画面に表示されている一の広告を選択したときの時間、前記モバイル端末の位置、前記モバイル端末が位置する地域の天候、前記モバイル端末が位置する地域の気温から選ばれる１又は２以上の属性情報を前記モバイル端末、前記広告配信情報端末又は前記属性情報を有する他の情報端末のうち少なくとも一から取得し、前記一の広告と関連し、さらに前記属性情報に応じた動画ファイルを選択する選択手段と、前記動画ファイルを前記モバイル端末に送信する送信手段備えたことを特徴とする前記〔１〕に記載の広告表示システムである。
【００１２】
〔３〕そして、前記モバイル端末の位置が、前記モバイル端末に内蔵されているグローバルポジショニングシステムにより取得された位置、又は前記モバイル端末が無線通信する中継局の場所に基づく位置であることを特徴とする前記〔２〕に記載の広告表示システムである。
【００１３】
〔４〕そして、前記動画ファイルの動画中に、前記動画ファイルの内容と関連するキーワード又はロゴタイプを備えることを特徴とする前記〔１〕から前記〔３〕のいずれかに記載の広告表示システムである。
【００１４】
〔５〕そして、コンピュータネットワークに接続されて無線通信が可能であり矩形状のモバイル端末に、動画ファイルを送信する広告配信情報端末であって、前記広告配信情報端末は、使用者が前記モバイル端末の表示画面に表示されている一の広告を選択したことのアクション情報及びその選択したときの前記モバイル端末の表示画面についての縦方向又は横方向のいずれかのポジション情報を取得し、前記ポジション情報を基に前記モバイル端末の表示画面が縦方向又は横方向のどちらであるかを判断する判断手段と、前記ポジション情報から縦方向であると判断したときに、前記一の広告と関連し、縦長の動画である動画ファイルを選択する選択手段と、前記動画ファイルを前記モバイル端末に送信する送信手段を備えたことを特徴とする広告配信情報端末である。
【００１５】
〔６〕そして、前記広告配信情報端末は、使用者が前記モバイル端末の表示画面に表示されている一の広告を選択したときの時間、前記モバイル端末の位置、前記モバイル端末が位置する地域の天候、前記モバイル端末が位置する地域の気温から選ばれる１又は２以上の属性情報を前記モバイル端末、前記広告配信情報端末又は前記属性情報を有する他の情報端末のうち少なくとも一から取得し、前記一の広告と関連し、さらに前記属性情報に応じた動画ファイルを選択する選択手段と、前記動画ファイルを前記モバイル端末に送信する送信手段備えたことを特徴とする前記〔５〕に記載の広告配信情報端末である。
【発明の効果】
【００１６】
本発明によれば、一般に、矩形状のモバイル端末を、縦長、すなわち長手方向に持つことが多い使用者に対し、モバイル端末が縦長の状態においても動画の広告を見やすくして、使用者に訴求力の高い動画の広告を送信することができる。
【図面の簡単な説明】
【００１７】
【図１】本発明における広告表示システムの一実施形態におけるハードウエア資源に関する概念図である。
【図２】本発明における広告配信情報端末１の構成を示す概略図である。
【図３】本発明におけるモバイル端末における動画ファイルの表示の方法の一例を示している図である。
【図４】本発明における広告配信情報端末１の処理手順を示すフロー図である。
【発明を実施するための形態】
【００１８】
以下、本発明に係る広告表示システム及び広告配信情報端末に関する実施形態について詳しく説明する。なお、以下に説明する実施形態は、本発明を実施するに好ましい具体例であるから、技術的に種々の限定がなされているが、本発明は、以下の説明において特に発明を限定する旨明記されていない限り、これらの形態に限定されるものではない。
【００１９】
図１は、本発明における広告表示システムの一実施形態におけるハードウエア資源に関する概念図を示しており、コンピュータネットワーク４に接続されている広告配信情報端末１と、無線通信が可能であり矩形状のモバイル端末であるスマートフォン２、タブレット端末３を備えている。広告配信情報端末１は、モバイル端末と情報の送受信が可能であるいわゆるサーバーであり、中央演算処理装置、主記憶装置、補助記憶装置などを備えている。そして、スマートフォン２、タブレット端末３は、モバイル端末の一実施例であり、広告配信情報端末１などの情報端末とコンピュータネットワーク４を介して、３Ｇ（３ｒｄ  Ｇｅｎｅｒａｔｉｏｎ）、ＬＴＥ（Ｌｏｎｇ  Ｔｅｒｍ  Ｅｖｏｌｕｔｉｏｎ）などの無線通信規格に定められた無線通信によって情報通信を行うことができる。また、コンピュータネットワーク４は、インターネットなどの国内外の複数の情報端末と情報通信が可能となる通信網である。
【００２０】
図２は、サーバーである広告配信情報端末１における構成を示す概略図である。広告配信情報端末１は、その内部に後述する一連の手順を実行する中央演算処理装置であるＣＰＵ１０１と、主記憶装置であるメモリ１０２と、補助記憶装置であるハードディスク１０３を備えている。そして、ハードディスク１０３には、オペレーティングシステムＳ１、後述する本発明の実行手段がコーディングされているプログラムＳ２、動画６に関するデータＤ１（動画ファイル）が格納されている。また、本実施形態では、補助記憶装置であるハードディスク１０３は広告配信情報端末１に内蔵されているが、他の実施形態において、広告配信情報端末１の外部に設けることもできる。
【００２１】
ハードディスク１０３に格納されているオペレーティングシステムＳ１は、ハードウエアに関するインターフェースを後述するプログラムＳ２などのアプリケーションソフトウエアに提供するソフトウエアである。オペレーティングシステムＳ１としては、Ｗｉｎｄｏｗｓ（登録商標）、Ｌｉｎｕｘ（登録商標）、ＡＮＤＲＯＩＤ（登録商標）、ＭａｃＯＳなどの基本ソフトを使用することができる。
【００２２】
ハードディスク１０３に格納されているプログラムＳ２は、モバイル端末から加速度センサの値より得られたＸ軸Ｙ軸Ｚ軸の各方向への傾きなどのポジション情報を取得し、前記ポジション情報を基に算出されたモバイル端末の傾きから表示画面が縦方向又は横方向のどちらであるかを判断する判断手段、選択された一の広告と関連する動画ファイルを選択する選択手段、選択された動画ファイルをモバイル端末に送信する送信手段などを備えている。使用者がモバイル端末の表示画面に表示されている一の広告を選択すると、プログラムＳ２は、上記判断手段によって、モバイル端末の表示画面が縦方向であると判断したときに、最終的に縦長である動画６の動画ファイルを選択し、モバイル端末に送信する処理を行う。また、上記判断手段によって、モバイル端末の表示画面が横方向であると判断した場合には、モバイル端末の横方向の表示画面に合わせて動画が横に傾いた状態で表示画面全体に再生されるよう命令を付加して動画ファイルを送信したり、モバイル端末の横方向の表示画面よりはみ出さないように小さくして動画が縦方向で再生されるよう命令を付加して動画ファイルを送信したり、モバイル端末を縦方向に持ち直すよう求めるダイアログを表示したり、予め用意された横長の動画ファイルを送信したりすることができる。また、モバイル端末の向きに応じて動画ファイルを縦方向又は横方向のどちらで再生するかについて、モバイル端末において予め設定するようにしてもよい。さらに、一の広告と関連する動画ファイルを選択する選択手段としては、一の広告と任意の動画ファイルとが会社名や商品名など共通する１個又は２個以上のキーワードを備え、そのキーワードが一致することで、互いに関連すると判断するなどの方法とすることができる。なお、動画ファイルは１種類だけでなく複数種類でもよく、複数種類の動画ファイルが保存されている場合、プログラムＳ２は、そのうちの１種類をランダムに又は予め指定されているものを選択して送信することもできるし、また、そのうち２種類以上を連続して再生するように送信することもできる。
【００２３】
動画６に関するデータＤ１（動画ファイル）としては、３２０×４８０（アスペクト比２：３）、６４０×９６０（アスペクト比２：３）、６４０×１１３６（アスペクト比４０：７１）、７２０×１２８０（アスペクト比９：１６）、７６８×１０２４（アスペクト比３：４）、１０８０×１９２０（アスペクト比９：１６）、１２００×１９２０（アスペクト比５：８）、１５３６×２０４８（アスペクト比３：４）などの解像度のモバイル端末で再生しうる縦長、すなわち、モバイル端末における表示画面の長手方向を上下方向とするものであって、提供メニューや販売品などの商品群、店舗の所在地や営業時間、店舗の外観や内装などに関するものである。そして、これら動画６には、さらに商品群等のキーワードとなる文字列、ロゴタイプ、記号などが配されていてもよい。例えば、モバイル端末の表示画面の中央又はその中央近傍に、それらキーワードなどを配置することができる。このように、動画とともにキーワード等が付されていることにより、モバイル端末が無音声の設定にされていたとしても、使用者の視覚に訴えることによって、使用者の印象に残り易くなり、また、視力が低下しているシニア世代にも視認し易くなり、効果的に広告することができる。また、動画６に関するデータ形式としては、アニメーションｇｉｆ形式、Ｍｏｔｉｏｎ  ＪＰＥＧ形式、ＭＰＥＧ-４  ＡＶＣ／Ｈ．２６４形式、ＭＰＥＧ-４形式、ＷＭＶ形式、ｍｏｖ形式、ＦＬＶ形式、ＤｉｖＸ形式、ＸｖｉＤ形式などの動画形式のものが好ましい。このうち、モバイル端末で使用されるオペレーティングシステムに依らずに再生することができ、モバイル端末の通信速度が遅くとも滞りなく再生することができるアニメーションｇｉｆ形式、Ｍｏｔｉｏｎ  ＪＰＥＧ形式であることがさらに好ましい。なお、動画６に関するデータＤ１（動画ファイル）は、縦長の動画と同じ内容のものを横長の動画として有していてもよい。広告配信情報端末１は、モバイル端末が縦方向であれば、縦長の動画ファイルを送信し、モバイル端末が横方向であれば横長の動画ファイルを送信することもできる。
【００２４】
また、表１に示すように、動画６に関するデータＤ１としては、時間、地域、気温、天気などの属性情報によりデータテーブルとしてまとめられていてもよい。例えば、飲食業界における広告において説明する。まず、使用者がモバイル端末の表示画面に表示されている一の広告を選択したときの時間に応じて、その時間に対応する動画ファイルを１種類又は２種類以上保存しておくことができる。具体的には、使用者がモバイル端末の表示画面に表示されている一の広告を選択したときの時間が、午前６時から午前１１時であるときのために、朝食のメニューなどに関する動画ファイル（Ｆｉｌｅ  Ｔｉｍｅ−１〜４）を保存しておく。そして、同様に午前１１時から午前１５時であるときのために、ランチのメニュー、お薦めの商品、キャンペーン情報などに関する動画ファイル（Ｆｉｌｅ  Ｔｉｍｅ−５〜８）を保存しておく。そして、複数の店舗を有する場合、使用者がモバイル端末の表示画面に表示されている一の広告を選択したときの位置情報に応じて、その位置に対応する動画ファイルを１種又は２種以上保存することができる。具体的には、使用者がモバイル端末の表示画面に表示されている一の広告を選択したときの位置が、大阪市北区であるときのために、同区内に存在する各店舗についての詳細な場所、各店舗の外観や近くのランドマークなどに関する動画ファイル（Ｆｉｌｅ  Ｍａｐ−１〜４）を保存しておく。そして、複数の店舗に関する動画ファイルが存在する場合、使用者がモバイル端末の表示画面に表示されている一の広告を選択したときの位置から最寄りの店舗が選らばれるように、プログラムＳ２で処理されることが好ましい。そして、使用者がモバイル端末の表示画面に表示されている一の広告を選択したときの気温に応じて、その気温に対応する動画ファイルを１種類又は２種類以上保存しておくことができる。具体的には、使用者がモバイル端末の表示画面に表示されている一の広告を選択したときの気温が、１０℃未満であるときのために、温かいスープや温かい飲料に関する動画ファイル（Ｆｉｌｅ  Ｔｅｍｐ−１〜３）を保存しておく。また、同様に３０℃以上であるときのために、アイスクリーム、シャーベットなど冷たい飲食物などに関する動画ファイル（Ｆｉｌｅ  Ｔｅｍｐ−１２〜１３）を保存しておく。そして、使用者がモバイル端末の表示画面に表示されている一の広告を選択したときの天気に応じて、その天気に対応する動画ファイルを１種類又は２種類以上保存しておくことができる。具体的には、使用者がモバイル端末の表示画面に表示されている一の広告を選択したとき位置における天気が、雨であるときのために、割引などに関する動画ファイル（Ｆｉｌｅ  Ｗｅａｔｈｅｒ−８〜１１）を保存しておく。
【００２５】
【表１】
2015210472.tif 000003
【００２６】
上述したように、動画６に関するデータＤ１が、時間、位置、気温、天気などの属性情報によりデータテーブルとしてまとめられていてもよい。その場合において、ハードディスク１０３に格納されているプログラムＳ２は、さらに、使用者がモバイル端末の表示画面に表示されている一の広告を選択すると、モバイル端末からポジション情報だけでなく、そのときの時間、その操作がされた位置、その操作がされた位置における都道府県又は市町村レベルでの天気、気温などから選ばれる１又は２以上の属性情報も取得し、それら属性情報に基づき、それら属性情報に応じた動画ファイルを選択するという機能が拡張された選択手段を備えることが好ましい。なお、使用者がモバイル端末の表示画面に表示されている一の広告を選択したときの時間については、モバイル端末又は広告配信情報端末１などの内部の時計から取得された時間を利用することができる。また、同様に、一の広告を選択したときの位置については、モバイル端末に内蔵されているグローバルポジショニングシステムにより取得された位置、又はモバイル端末が無線通信する中継局の場所に基づく位置などを利用することができる。また、同様に、また、一の広告を選択したときの気温については、モバイル端末に内蔵されている温度センサにより取得された気温、又はモバイル端末の位置に基づき外部の気象を管理するデータベースに登録された気温を利用することができる。なお、一の広告を選択したときの天気については、モバイル端末の位置に基づき外部の気象を管理するデータベースに登録された天気を利用することができる。さらに、プログラムＳ２は、使用者が一の広告を選択したときの時間、位置、気温、天気などの属性情報を備えている場合、予め定められた優先順位に従い、優先順位の高い属性の動画ファイルから選択して、順次送信することもできる。
【００２７】
このように、使用者が一の広告を選択したときの各種属性情報を利用することにより、企業等は効率の良い情報を広告することができ、使用者も有益な情報を受け取ることができるため、広告主である企業等及び使用者の双方にとって利便性に優れているという効果を有する。
【００２８】
図３は、本発明の一実施例において、モバイル端末における動画ファイルの表示の方法の一例を示している図である。具体的には、矩形状のスマートフォン２を縦方向に持っている場合において、表示画面２１に表示された一の広告５を使用者が指でタップする、指で触る、指でこするなどの行為によって選択したときに、一の広告５と関連する動画６を表示画面２１全体に表示する一連の操作例を示している図である。ここで、一の広告５は、ＦＡＣＥＢＯＯＫ（登録商標）、ＴＷＩＴＴＥＲ（登録商標）ＬＩＮＥ（登録商標）などのソーシャルネットワーキングサービスを提供するアプリケーションソフトウエアやウェブブラウザーなどを実行中に、表示画面２１の所定領域に表示される四角形、楕円形状などの画像や記号等の情報を有するバナー広告、または、アプリケーションソフトウエアにおける画像や記号等で表示されているアイコンなどが挙げられる。
【００２９】
図３における一連の操作を、図４に示す広告配信情報端末１における処理手順に従って説明する。まず、モバイル端末である矩形状のスマートフォン２の表示画面２１に表示された一の広告５を使用者が選択する（Ｓ１０１）。すると、スマートフォン２は、広告配信情報端末１と双方向での通信を開始する。そして、広告配信情報端末１は、スマートフォン２からスマートフォン２の傾きに関するポジション情報を取得する（Ｓ１０２）。そして、必要に応じて、使用者が一の広告を選択したときの時間、位置、気温、天気などの属性情報を取得する（Ｓ１０３）。そして、取得したポジション情報を基にスマートフォン２の傾きから表示画面が縦方向又は横方向のどちらであるかを判断する（Ｓ１０４）。スマートフォン２の表示画面が縦方向であれば、１種類又は２種類以上の動画ファイルを選択する（Ｓ１０５）。そして、縦長である動画６の動画ファイルをスマートフォン２に送信する（Ｓ１０６）。一方、スマートフォン２の表示画面が横方向であれば、縦長である動画６の動画ファイル又は同様の内容である横長である動画の動画ファイルの１種類又は２種類以上の動画ファイルを選択する（Ｓ１０７）。そして、縦長である動画６の動画ファイル又は同様の内容である横長である動画の動画ファイルをスマートフォン２に送信する（Ｓ１０８）。
【００３０】
このように、一般に長手方向が上下となるよう縦方向に持つことが多い矩形状のスマートフォン２などのモバイル端末において、動画に関する広告を表示するときに、モバイル端末の縦方向に持ったままでもモバイル端末の表示画面いっぱいに表示して見易くすることにより、使用者に対して広告として強い印象を与えることがでる。
【００３１】
また、あらかじめ動画ファイルをモバイル端末にダウンロードした状態でアプリケーションソフトウエアによって動画ファイルを再生するシステムとは異なり、本件発明では、一の広告５の選択という動作をきっかけにして、動画ファイルを保存や管理するサーバーである広告配信情報端末１が、動画ファイル選択及び送信手段を実行することにより、一の広告５が都度変更されなくても適時動画ファイルの更新や変更がモジュール単位で行われ、ソフトウエア構成が簡略化されるため、広告主の急な要望にも円滑に対応することができる。
【符号の説明】
【００３２】
１・・・広告配信情報端末
２・・・スマートフォン
２１・・表示画面
３・・・タブレット端末
４・・・コンピュータネットワーク
５・・・一の広告
６・・・動画
【図１】
2015210472.tif 000004
【図２】
2015210472.tif 000005
【図３】
2015210472.tif 000006
【図４】
2015210472.tif 000007